(57)【要約】      （修正有）【課題】石灰粉を入れる為の収納容器部分は特に持たず、石灰袋に入ったまま使用し、石灰袋が従来のラインカーの粉容器の役目を果す構造を持つラインカーの提供。【解決手段】石灰袋９を載せる背板と左右の脇板部と該左右の脇板部間を覆う上面板として囲われる空間部を有し且つ前端部に、線幅調整板付き粉排出口と左右の前輪６を有するラインカー本体における上記背板に先端部に左右後輪８を支持する脚を前後方向へ回動可能に取り付け、且つ上記左右の脇板部に、該左右の脇板部が上記粉排出口の方向へ行くほど左右の脇板部の間隔が狭くなるようにテーパー構造を設け、該テーパー構造の部分から下へ石灰袋がずり落ちることがないようにした構造を有するラインカー。【選択図】図９
0003140694.tif 000002
【実用新案登録請求の範囲】
【請求項１】
石灰袋から粉をわざわざ別の容器にあけることなく、直接石灰袋のまま使用できるラインカーで、石灰袋をラインカーにセットする時は、後車輪部分を畳み、ラインカーの背板の部分を地面に近く低くすることにより容易に石灰袋をラインカーにセットでき、取手部分を持ち上げることにより、自重で石灰袋が下に落ち、あらかじめ先端をカットした石灰袋から石灰が先端粉出し口にセットされ、石灰袋をそのままラインカーの中にいれたまま使用することができるラインカー。
【考案の詳細な説明】
【技術分野】
【０００１】従来ラインカーを使用する場合は、石灰（消石灰やタンカル）を一旦石灰袋からポリバケツ等の他の石灰入れ容器にあけ、必要に応じスコップの類の道具を使用し再度ラインカーの中に入れるという作業を行っていた。これは大変な時間の無駄と、石灰が舞い散り衣服が汚れ、石灰粉を吸い込んでしまうという健康上にも大きな問題があった。
また石灰は、空気中の水分を含み長時間立つと固まってしまう。これはラインカーの中でも石灰入れ容器の中でも同じようにおこる現象で、これが線を引けなくなる粉詰まりの現象である。
【背景技術】
【０００２】グランドのライン引きに使用する石灰は、紙やビニール等の袋詰めにされて販売されているが、通常使用する時は、中の石灰を一旦ポリバケツ等の粉容器に移し替える。その後必要に応じスコップの類いなどの道具を使い、石灰をラインカーに移し変え使用する。またこの容器はラインカー使用後、ラインカーの中に残った粉が湿気で粉の出が悪くなるめを防ぐため再度粉を戻すための容器として使用するとされているが、ラインカーの中の粉を再度容器に戻すことは作業性やラインカーの構造から現実的でなく、現場でいちいち元の容器戻すことは全く行われていないのが実態である。また一回封を切ってしまった粉は、ラインカーの中でも容器の中でも同じように湿気で固まることに変わりはない。
【考案の開示】
【考案が解決しようとする課題】
【０００３】従来ラインカーを使うときは、石灰袋から一旦中の石灰を他の容器にあけ、必要に応じスコップのような道具で石灰をラインカーの中に移しかえて使用していた。そのため時間の無駄と共に、石灰のロス、衣服の汚れ、舞い散る石灰粉を吸い込む危険性等があった。折角袋に収納されている石灰を、わざわざ袋から出すことなく袋のままラインカーの中にセットしラインカーして機能させることが出来れば、手間を省くと同時に石灰が舞い散ることも無いため、衣服等を汚すことも無く健康上にも良い。また従来のラインカーは、使用後粉が湿気で固まるのを防ぐため、ラインカーの中に残った粉は再度粉容器に戻すようにラインカーメーカーは指導しているが、現実問題としてラインカーの中に残った粉を容器に戻すことは簡単に出来ず、現場では一切行っていないのが現状である。そのため次回使用する際粉が中々出ないで苦労することが多く、ひいては機器の故障に繋がっている。また現状ラインカーには、２輪の物と４輪の物とがあるが、それぞれラインを引くうえで特徴があり、お互いの持っている特徴を一台で引き出せれば両方のラインカーを用意する必要がない。
【課題を解決するための手段】  本考案のラインカーは、わざわざ袋に入っている石灰を袋から出さずに、そのまま袋のまま使用できるような構造を持たせている。
このラインカーには粉を収納する容器部分は特になく、ラインカーの背板の部分（符号−２）を石灰袋の幅と同じ程度にし、容易に袋が背板の上に乗る構造にしてある。石灰袋をセットする時はまずラインカーの後輪（符号−８）をたたんでラインカーを低い位置にし（図−３）、袋をそのまま背板に乗せラインカーにセット（図−８）、次に石灰袋の先端分をカッターやハサミなどであらかじめカットしておき、次に取手部分を持ち上げることにより、後輪は元の位置にセットされ、背板の傾斜で自重により石灰袋が下に落ち（図−９）、カットした石灰袋の先端からラインカーの粉出し口に粉がセットされる。ラインカーにセットされた袋は、取り出さずそのままラインカーの中にいれたまま使用し、脇板部分は粉排出口方向に行くほど狭くなっているテーパー構造（符号−３、符号−４）を持つことにより、袋は一定の位置までしか下にずり落ちず、袋が粉の排出歯車にぶつかることはない。
【考案の効果】ラインカーをまず図−３のように倒すことにより、石灰袋を低い位置でラインカーの上に乗せることができるので、石灰袋を上まで持ち上げることなく大きな力を使用せず石灰袋をラインカーにセットできる。つまり非力な子供や女性でも安全にそして簡単に石灰袋をセットできる。そして石灰袋の封をカットし、そのまま取手の部分を持ち上げることにより石灰袋が下にずり落ち、ラインカーにセットされる（図−９）。このように石灰を簡単に短時間でセットでき、同時に石灰が飛び散ることも無いため、衣服を汚さず健康上にも問題が無い。一般的に石灰袋、石灰容器は狭い石灰庫の中に収納されているので狭い空間での作業は、石灰粉が舞い散るので極めて健康には悪影響がある。本考案のラインカーは、外の広い空間で粉をセットできるので健康上の影響は極めて少ない。
またラインカーは、基本的には４輪であるが、後輪を折り畳んだまま使用すると、ラインカーを引っ張って使用することができ２輪と同じ様なライン引きが出来る。
次に使い切れず残ってしまった石灰粉が先端部分で仮に固まってしまっても、上部や下部にある点検口（符号−５）の開口部を開けることにより、簡単に塊を取りだし容易に保守点検が出来る。
一般的に４輪のラインカーは収納時広い床スペースを必要とするが、本考案のラインカーは、収納時には後輪を折り畳んだ状態で全体を立てて収納することが出来るので２輪のラインカーの様に倉庫の床スペースを取らないですむ。（図−７）
【考案を実施するための最良の形態】
【実施例】以下添付図面に従って実施例を説明する。まずラインカーの後輪（符号−８）を畳み、背板を地面に近い状態（図−３）にすることにより、石灰袋を上に持ち上げる必要がないので石灰袋を背板（符号−２）に置きやすくすることができる。この時取手の部分（符号−１）も地面に近い位置まで下がるので、取手を持ち上げる次の作業も楽になる。次にこの背板の部分（符号−２）にまず石灰袋（符号−９）を置き（図−８）次に石灰の袋の先端部分の封を切って袋を開け、そのまま取手部分（符号−１）を上に引き上げることにより、後輪は自然に図−９の状態にセットされ、石灰袋が下にずり落ち、石灰は袋をカットした部分から出てラインカーの先端排出口（符号−７）中にセットされる。
使用後残った粉が固まってしまった場合でも、上下にある二か所の点検口（符号−５）から簡単に塊を取り出すことが可能であるので、従来のラインカーに多くみられた粉排出歯車の空回転などのトラブルを防ぐことができる。また本器を図−７の様に立てて収納することにより、従来の４輪ラインカーの様に広く床スペースを占有することがないので収納も楽である。
【図面の簡単な説明】
【図１】全体図。
【図２】横から見たイメージ図。
【図３】袋をセットする時の横から見た図
【図４】真上から見たイメージ図。
【図５】真後ろから見た図。
【図６】斜め後ろから見た図
【図７】収納のため立てかけた時の横から見た図
【図８】ラインカーの背板部分に石灰の袋を乗せた図。
【図９】袋を乗せたままラインカーを起こした図。
【符号の説明】
１．取手
２．石灰袋を乗せる背板部
３．石灰袋幅のテーパー板部
４．脇板部
５．開閉式粉出し口点検口
６．前輪
７．粉排出口＆線幅調整板
８．後輪
９．石灰袋
【図１】
0003140694.tif 000003
【図２】
0003140694.tif 000004
【図３】
0003140694.tif 000005
【図４】
0003140694.tif 000006
【図５】
0003140694.tif 000007
【図６】
0003140694.tif 000008
【図７】
0003140694.tif 000009
【図８】
0003140694.tif 000010
【図９】
0003140694.tif 000011
【手続補正書】
【提出日】平成19年12月17日(2007.12.17)
【手続補正１】
【補正対象書類名】実用新案登録請求の範囲
【補正対象項目名】全文
【補正方法】変更
【補正の内容】
【実用新案登録請求の範囲】
【請求項１】
石灰袋を載せる背板と左右の脇板部と該左右の脇板部間を覆う上面板とで囲われる空間部を有し且つ前端部に、線幅調整板付き粉排出口と左右の前輪を有するラインカー本体における上記背板に、先端部に左右の後輪を支持する脚を前後方向へ回動可能に取り付け、且つ上記左右の脇板部に、該左右の脇板部が上記粉排出口の方向へ行くほど左右の脇板部の間隔が狭くなるようにテーパー構造を設け、該テーパー構造の部分から下へ石灰袋がずり落ちることがないようにした構成を有することを特徴とする石灰袋のまま使用できるラインカー。
【手続補正２】
【補正対象書類名】明細書
【補正対象項目名】全文
【補正方法】変更
【補正の内容】
【考案の詳細な説明】
【技術分野】
【０００１】  本考案は、グランドのライン引きに使用する石灰でライン引きを行うときに用いるラインカーで、石灰袋のまま搭載して使用できるようにしたラインカーに関するものである。
【背景技術】
【０００２】  グランドのライン引きに使用する石灰（消石灰やタンカル）は、紙やビニール等の袋に詰められて販売されている。【０００３】  従来、ラインカーを使用する場合は、石灰を一旦石灰袋からポリバケツ等の他の石灰入れ容器に移し、必要に応じてこの容器内の石灰をスコップの類の道具を使用してラインカーの中に入れるという作業を行っていた。【０００４】  また、上記石灰入れ容器は、ラインカーの使用後、ラインカーの中に残った石灰をそのままにしておくと、湿気を帯びて排出が悪くなるのを防ぐため、ラインカーの中に残った石灰を再度戻しておくための容器として使用されている。
【考案の開示】
【考案が解決しようとする課題】
【０００５】  従来、ラインカーを使うときは、前記したように、石灰袋の中の石灰を一旦他の石灰入れ容器に移し、必要に応じて該容器内の石灰をスコップのような道具でラインカーの中に移しかえて使用するようにしていたため、時間の無駄と共に、石灰のロス、衣服の汚れ、舞い散る石灰粉を吸い込んでしまうという健康上にも大きな問題があった。また、石灰は、空気中の水分を含み長時間経過すると固まってしまう。これはラインカーの中でも、石灰入れ容器の中でも同じように起る現象で、これが線を引けなくする粉詰りの原因となっている。【０００６】  そこで、本考案者は、折角袋に収納されている石灰を、わざわざ袋から出すことなく袋のままラインカーの中にセットしラインカーとして機能させることが出来れば、手間を省くと同時に石灰が舞い散ることも無いため、衣服等を汚すことも無く健康上にも良いこと、また従来のラインカーは、使用後粉が湿気で固まるのを防ぐため、ラインカーの中に残った粉は再度石灰入れ容器に戻すようにラインカーメーカーは指導しているが、現実問題としてラインカーの中に残った粉を容器に戻すことは簡単に出来ず、現場では一切行っていないのが現状であり、そのため次回使用する際粉が中々出ないで苦労することが多く、ひいては機器の故障に繋がっていること、また現状ラインカーには、２輪の物と４輪の物とがあるが、それぞれラインを引くうえで特徴があり、お互いの持っている特徴を一台で引き出せれば両方のラインカーを用意する必要がないことに着目して本考案をなした。【０００７】  したがって、本考案は、わざわざ袋に入っている石灰を袋から出さずに、袋のまま使用してライン引きできるようにすると共に、石灰袋のまま簡単にセットでき、且つ４輪式から２輪と同じ様に使用できるようにした石灰袋のまま使用できるラインカーを提供することを目的とするものである。
【課題を解決するための手段】
【０００８】  本考案は、石灰袋を載せる背板と左右の脇板部と該左右の脇板部間を覆う上面板とで囲われる空間部を有し且つ前端部に、線幅調整板付き粉排出口と左右の前輪を有するラインカー本体における上記背板に、先端部に左右の後輪を支持する脚を前後方向へ回動可能に取り付け、且つ上記左右の脇板部に、該左右の脇板部が上記粉排出口の方向へ行くほど左右の脇板部の間隔が狭くなるようにテーパー構造を設け、該テーパー構造の部分から下へ石灰袋がずり落ちることがないようにした構成とする。
【考案の効果】
【０００９】  本考案の石灰袋のまま使用できるラインカーによれば、次のような効果が得られる。
（１）後輪を折り畳んだ状態で本考案のラインカーを後へ倒して背板を低い位置にすることができるので、石灰袋を低い位置で背板上に載せることができ、石灰袋を上まで持ち上げることなく、また、大きな力を使用せず石灰袋をラインカーにセットでき、非力な子供や女性でも安全にそして簡単に石灰袋をセットできる。
（２）上記セットされた石灰袋の封をカットし、そのまま取手の部分を持ち上げることにより、石灰袋は背板に沿い石灰排出口の方向へずり落ち、脇板による絞り部に石灰袋の端部が引っ掛って保持されることにより、石灰袋が搭載される。これにより、石灰を簡単に短時間にセットでき、同時に石灰が飛び散ることも無いため、衣服を汚さず健康上にも問題が無い。一般的に石灰袋、石灰入れ容器は狭い石灰庫の中に収納されているので、狭い空間での作業は、石灰粉が舞い散るので極めて健康には悪影響があるが、本考案では、外の広い空間で粉をセットできるので、健康上の影響は極めて少ない。
（３）ラインカーは、基本的には４輪であるが、後輪を折り畳んだまま使用すると、ラインカーを引っ張って使用することができ、２輪と同じ様なライン引きが出来る。
（４）使い切れず残ってしまった石灰粉が先端部分で仮に固まってしまっても、上部や下部にある点検口の開口部を開けることにより、簡単に塊を取りだし容易に保守点検が出来る。
（５）一般的に４輪のラインカーは収納時広い床スペースを必要とするが、本考案のラインカーは、収納時には後輪を折り畳んだ状態で全体を立てて収納することが出来るので、２輪のラインカーの様に倉庫の床スペースを取らないですむ。
【考案を実施するための最良の形態】
【００１０】  以下、図面に基づいて本考案を実施するための最良の形態を説明する。【００１１】  図１乃至図７は本考案の石灰袋のまま使用できるラインカーの実施の一形態を示すもので、取手１が取り付けられていて内側に石灰袋を載せる背板２と、該背板２の左右両側部に取り付けられる左右の脇板部４と、該左右の両脇板部４の前端側の上面を覆う上面板９とにより囲われて形成される空間部を有し、且つ前端部に、開閉式粉出し口点検口５と、左右の前輪６と、線幅調整板付きの粉排出口７とを有するラインカー本体Ｉにおける上記背板２の外側に、下端部に左右の後輪８の車軸を支持させた左右の脚１０の各上端部を、前後方向へ回動可能に取り付けて、各脚１０を前側へ倒すことにより後輪８と脚１０が折り畳まれるようにする。【００１２】  上記ラインカー本体Ｉの左右の脇板部４は、図１、図４に示されているように、粉排出口７の方向に行くほど両脇板部４の間隔が狭くなるようにテーパー構造３として、該左右の両脇板部４のテーパー構造３の位置から下には石灰袋がずり落ちないようにしてある。【００１３】  図８、図９中、１１は石灰袋である。【００１４】  ラインカー本体Ｉの背板２上に石灰袋１１をセットするときは、まず、ラインカー本体Ｉの後輪８を、脚１０を前側へ倒すことにより図３に示すように畳み、背板２を地面に近い状態にする。これにより石灰袋１１を上に持ち上げる必要がないので、石灰袋１１を背板２上に置き易くすることができる。【００１５】  このとき取手１の部分も地面に近い位置まで下がるので、取手１を持ち上げる次の作業も楽になる。この状態で上記背板２上に、図８に示すように石灰袋１１を置くことにより、石灰袋１１のセットが行われる。次に、石灰袋１１の前側の部分の封を切って袋を開け、そのまま取手１の部分を上に引き上げるようにする。これにより、背板１１が起されて背板２の前端側が低くなるように傾斜すると、背板２上の石灰袋１１は、該背板２の傾斜で自重により図９に示すように下へずり落ち、後輪８は、該後輪８の自重で自然に図９に示すように元の位置にセットされる。【００１６】  石灰は、袋１１の端を切った部分から流出してラインカー本体Ｉの先端部の粉排出口７の中に堆積させられてセットされる。【００１７】  ラインカー本体Ｉの背板２上にセットされてずり落ちた石灰袋１１は、取り出さずにそのままラインカー本体Ｉ内に入れたまま使用する。【００１８】  この際、左右の両脇板部４のテーパー構造３の部分で、左右の脇板部４の間隔が狭くなるようにしてあって、この部分で石灰袋１１の端部が引っ掛ってこれより下へはずり落ちないようにしてあるので、石灰袋１１が排出歯車（図示せず）にぶつかることはない。【００１９】  本考案のラインカーの使用後、粉排出口７中に残った石灰が固ってしまった場合は、開閉式粉出し点検口５から簡単に塊を取り出すことが可能であるので、従来のラインカーに多くみられた粉排出歯車の空回転などのトラブルを防止することができる。又、本考案のラインカーを使用後収納するときは、図７に示すように本考案のラインカーを立てて収納することができるので、従来の４輪ラインカーの様に広く床スペースを占有することがなく、収納も楽である。
【図面の簡単な説明】
【００２０】
【図１】本考案の石灰袋のまま使用できるラインカーの全体構成を示す斜視図である。
【図２】図１に示す本考案のラインカーの概略側面図である。
【図３】本考案のラインカーに石灰袋をセットするときの状態を示す斜視図である。
【図４】本考案のラインカーの平面図である。
【図５】本考案のラインカーを真後ろから見た図である。
【図６】本考案のラインカーを斜め後ろから見た図である。
【図７】本考案のラインカーを収納のため立てた状態を示す斜視図である。
【図８】背板に石灰袋を載せた状態を示す斜視図である。
【図９】石灰袋を載せたまま本考案のラインカーを起した状態を示す斜視図である。
【符号の説明】
【００２１】Ｉ  ラインカー本体
１  取手
２  石灰袋を載せる背板
３  テーパー構造
４  脇板部
５  開閉式粉出し点検口
６  前輪
７  線幅調整板付きの粉排出口
８  後輪
９  上面板
１０  脚
１１  石灰袋
【手続補正３】
【補正対象書類名】図面
【補正対象項目名】全図
【補正方法】変更
【補正の内容】
【図１】
0003140694.tif 000012
【図２】
0003140694.tif 000013
【図３】
0003140694.tif 000014
【図４】
0003140694.tif 000015
【図５】
0003140694.tif 000016
【図６】
0003140694.tif 000017
【図７】
0003140694.tif 000018
【図８】
0003140694.tif 000019
【図９】
0003140694.tif 000020